(57)【要約】【課題】本発明は外部空気を用いてターゲット空間内の内部空気の温度を制御することができる空調システムを提供する。【解決手段】本発明の空調システムは、ターゲット空間と連結されて空気調和を実行し、間接熱交換装置、外部空気循環設備、内部空気循環設備、外部空気温度センサー、内部空気温度センサー及び制御システムを含む。間接熱交換装置では、外部空気熱交換通路及び内部空気熱交換通路との間で熱交換が行われる。外部空気循環設備は、外部空気熱交換通路と連結される。内部空気循環設備は、ターゲット空間及び内部空気熱交換通路の間を連結する。制御システムは、外部空気温度センサーで測定された外部空気の温度及び内部空気温度センサーで測定された内部空気の温度を用いて、外部空気循環設備での外部空気の循環量を制御する。【選択図】図２
2019219163.tif 000002
【特許請求の範囲】
【請求項１】
外部空気熱交換通路及び内部空気熱交換通路との間で熱交換が行われる間接熱交換装置と、
ターゲット空間でない外部空間に存在する外部空気が前記外部空気熱交換通路を通じて循環可能であるように前記外部空気熱交換通路と連結された外部空気循環設備と、
前記ターゲット空間内に存在する内部空気が前記内部空気熱交換通路を通じて循環可能であるように前記ターゲット空間及び前記内部空気熱交換通路との間を連結する内部空気循環設備と、
前記外部空間に配置され、前記外部空気の温度を測定する外部空気温度センサーと、
前記内部空気循環設備内に配置され、前記内部空気の温度を測定する内部空気温度センサーと、
前記外部空気温度センサーで測定された前記外部空気の温度及び前記内部空気温度センサーで測定された前記内部空気の温度を用いて、前記外部空気循環設備での前記外部空気の循環量を制御する制御システムと、を含む、前記ターゲット空間と連結されて空気調和を実行する空調システム。
【請求項２】
前記外部空気循環設備は、
前記制御システムによって制御され、前記外部空気熱交換通路での前記外部空気の循環を制御する外部空気循環ファンを含む、請求項１に記載の空調システム。
【請求項３】
前記制御システムは、
前記外部空気温度センサーで測定された前記外部空気の温度及び前記内部空気温度センサーで測定された前記内部空気の温度を用いて、前記外部空気循環ファンを制御して前記外部空気の循環量を制御する、請求項２に記載の空調システム。
【請求項４】
前記制御システムは、
前記外部空気温度センサーで測定された前記外部空気の温度と前記内部空気温度センサーで測定された前記内部空気の温度との間の差異に応じて、前記内部空気循環ファンの回転数を制御する、請求項３に記載の空調システム。
【請求項５】
前記外部空気循環設備は、
前記外部空気熱交換通路の入口と連結され、前記外部空気を前記外部空間で前記外部空気熱交換通路に伝達する外部空気流入通路部と、
前記外部空気熱交換通路の出口と連結され、前記外部空気熱交換通路から排出される前記外部空気を前記外部空間に伝達する外部空気排出通路部をさらに含む、請求項２に記載の空調システム。
【請求項６】
前記外部空気循環ファンは、
前記外部空気流入通路部及び前記外部空気排出通路部のうち少なくとも一つに配置される、請求項５に記載の空調システム。
【請求項７】
前記外部空気温度センサーは、
前記外部空間で前記外部空気流入通路部と隣接するように配置される、請求項５に記載の空調システム。
【請求項８】
前記ターゲット空間は、
サーバが配置されたサーバ領域と、
前記サーバ領域に流入されるための空気を受容する流入領域と、
前記サーバ領域から排出される空気を受容する排出領域と、を含む、請求項１に記載の空調システム。
【請求項９】
前記内部空気循環設備は、
前記制御システムによって制御されて、前記内部空気熱交換通路での前記内部空気の循環を制御する内部空気循環ファンを含む、請求項８に記載の空調システム。
【請求項１０】
前記ターゲット空間内に配置され、前記流入領域及び前記排出領域の間の圧力差を測定して、前記制御システムに前記圧力差を提供する差圧センサーをさらに含む、請求項９に記載の空調システム。
【請求項１１】
前記制御システムは、
前記差圧センサーで測定された前記流入領域と前記排出領域との間の圧力差を用いて、前記内部空気循環ファンを制御して前記内部空気の循環量を制御する、請求項１０に記載の空調システム。
【請求項１２】
前記制御システムは、
前記差圧センサーで測定された前記流入領域と前記排出領域との間の圧力差に応じて、前記内部空気循環ファンの回転数を制御する、請求項１１に記載の空調システム。
【請求項１３】
前記内部空気循環説部は、
前記内部空気熱交換通路の入口と連結され、前記内部空気を前記ターゲット空間の排出領域から前記内部空気熱交換通路に伝達する内部空気流入通路部と、
前記内部空気熱交換通路の出口と連結され、前記内部空気熱交換通路から排出される前記内部空気を前記ターゲット空間の流入領域に伝達する内部空気排出通路部と、をさらに含む、請求項９に記載の空調システム。
【請求項１４】
前記内部空気流入通路部は、
前記内部空気熱交換通路の入口と連結された流入空間部と、
前記ターゲット空間の排出領域と前記流入空間部との間を連結する流入連結部と、を含み、
前記内部空気排出通路部は、
前記内部空気熱交換通路の出口と連結された排出空間部と、
前記排出空間部及び前記ターゲット空間の流入領域の間を連結する排出連結部と、を含む、請求項１３に記載の空調システム。
【請求項１５】
前記内部空気温度センサーは、前記排出空間部内に配置される、請求項１４に記載の空調システム。
【請求項１６】
前記内部空気循環ファンは、前記流入連結部内に配置される、請求項１４に記載の空調システム。
【請求項１７】
前記内部空気循環設備は、前記内部空気流入通路部及び前記内部空気排出通路部のうち少なくとも一つに配置され、前記制御システムによって制御されて、前記内部空気熱交換通路での前記内部空気の循環を遮断するか許容する内部空気ダンパーをさらに含む、請求項１４に記載の空調システム。
【請求項１８】
前記内部空気ダンパーは、前記排出空間部内で前記内部空気熱交換通路の出口と隣接して配置される、請求項１７に記載の空調システム。
【請求項１９】
前記排出空間部内で前記内部空気ダンパーと隣接して配置され、前記制御システムによって制御されて前記内部空気ダンパーを通過した前記内部空気の温度を減少させる直接調節装置をさらに含む、請求項１８に記載の空調システム。
【請求項２０】
前記制御システムは、前記直接調節装置をターンオンさせて動作をさせてからターンオフさせる場合、前記内部空気ダンパーをオープンモードで既設定された時間の間動作させる、請求項１９に記載の空調システム。
【請求項２１】
前記ターゲット空間の流入領域内に配置され、前記流入領域の温度を測定して、前記制御システムに前記温度を提供するターゲット空間温度センサーをさらに含む、請求項８に記載の空調システム。
【発明の詳細な説明】
【技術分野】
【０００１】
本発明は空調システムに関わり、より詳細には閉鎖空間内の温度を制御することができる空調システムに関する。
【背景技術】
【０００２】
空気調和（Air  Conditioning）は空気の温度、湿度、清浄度及び気流分布を任意の閉鎖空間での要求に一致するように処理する工程を言い、このような空気調和を処理するシステムを空調システムという。即ち、工場の作業場、倉庫、実験室などのような場所、特に大規模のサーバが配置されたサーバ室は、各場所の機能を十分に達成するために空調システムの設置が必須である。
【０００３】
空調システムは、一般的に、熱源設備、空調機設備、熱搬送設備及び自動制御設備からなる。熱源設備は、空調設備全体の熱負荷を処理するための設備であり、冷凍機、ボイラー、冷却塔、冷却水ポンプ、給水設備、配管などから構成される。空調機設備は、空調対象であるターゲット空間に供給するために温湿度が調整された空気を作る設備で、空気冷却器、除湿機、加熱器、加湿器、エアーフィルタ、送風機などから構成されてもよい。熱搬送設備は、熱源設備と空調機設備との間での空気の搬送及び循環、空調機設備及びターゲット空間の間の空気の循環及び外気導入を実行することができる。自動制御設備は任意の空間内で必要とされる空調条件が満たされるように熱源設備、空調機設備及び熱搬送設備を自動制御する役割を担当することができる。
【０００４】
しかし、空調システムは、空調条件が満たされるように空気調和を処理する時、多くのエネルギーを必要とすることがある。特に、非常に暑い天候時に温度を強制的に低くする空気冷却器のうちの一つであるエアコンを駆動する場合、エアコンの駆動によるエネルギー消耗が発生する。また、空気の湿度を低くするための除湿機の使用にも多くのエネルギーが必要とされる。
【発明の概要】
【発明が解決しようとする課題】
【０００５】
従って、本発明はこのような問題点を解決するためのものであり、本発明の解決しようとする課題は、外部空気を用いてターゲット空間内の内部空気の温度を制御することができる空調システムを提供することにある。
【課題を解決するための手段】
【０００６】
本発明の一実施形態による空調システムは、ターゲット空間と連結されて空気調和を実行する空調システムに関し、間接熱交換装置、外部空気循環設備、内部空気循環設備、外部空気温度センサー、内部空気温度センサー及び制御システムを含む。
【０００７】
前記間接熱交換装置では、外部空気熱交換通路及び内部空気熱交換通路の間で熱交換が行われる。前記外部空気循環設備は、前記ターゲット空間でない外部空間に存在する外部空気が前記外部空気熱交換通路を通じて循環可能であるように前記外部空気熱交換通路と連結される。前記内部空気循環設備は、前記ターゲット空間内に存在する内部空気が前記内部空気熱交換通路を通じて循環可能であるように前記ターゲット空間及び前記内部空気熱交換通路の間を連結する。前記外部空気温度センサーは、前記外部空間に配置され、前記外部空気の温度を測定する。前記内部空気温度センサーは、前記内部空気循環設備内に配置され、前記内部空気の温度を測定する。前記制御システムは、前記外部空気温度センサーで測定された前記外部空気の温度及び前記内部空気温度センサーで測定された前記内部空気の温度を用いて、前記外部空気循環設備での前記外部空気の循環量を制御する。
【０００８】
前記外部空気循環設備は、前記制御システムによって制御され、前記外部空気熱交換通路での前記外部空気の循環を制御する外部空気循環ファンを含んでいてもよい。
【０００９】
前記制御システムは、前記外部空気温度センサーで測定された前記外部空気の温度及び前記内部空気温度センサーで測定された前記内部空気の温度を用いて、前記外部空気循環ファンを制御して前記外部空気の循環量を制御する。
【００１０】
前記制御システムは、前記外部空気温度センサーで測定された前記外部空気の温度及び前記内部空気温度センサーで測定された前記内部空気の温度との間の差異に応じて、前記内部空気循環ファンの回転数を制御する。
【００１１】
前記外部空気循環設備は、外部空気流入通路部及び外部空気排出通路部をさらに含んでいてもよい。前記外部空気流入通路部は、前記外部空気熱交換通路の入口と連結され、前記外部空気を前記外部空間で前記外部空気熱交換通路に伝達する。前記外部空気排出通路部は、前記外部空気熱交換通路の出口と連結され、前記外部空気熱交換通路から排出される前記外部空気を前記外部空間に伝達する。
【００１２】
前記外部空気循環ファンは、前記外部空気流入通路部及び前記外部空気排出通路部のうち少なくとも一つに配置されてもよい。
【００１３】
前記外部空気温度センサーは、前記外部空間で前記外部空気流入通路部と隣接するように配置されてもよい。
【００１４】
前記ターゲット空間は、サーバが配置されたサーバ領域と、前記サーバ領域に流入されるための空気を受容する流入領域、及び前記サーバ領域から排出される空気を受容する排出領域を含んでいてもよい。
【００１５】
前記内部空気循環設備は、前記制御システムによって制御される前記内部空気熱交換通路での前記内部空気の循環を制御する内部空気循環ファンを含んでいてもよい。
【００１６】
前記空調システムは、前記ターゲット空間内に配置され、前記流入領域及び前記排出領域の間の圧力差を測定して、測定された圧力差を前記制御システムに提供する差圧センサーをさらに含んでいてもよい。
【００１７】
前記制御システムは、前記差圧センサーで測定された前記流入領域及び前記排出領域の間の圧力差を用いて、前記内部空気循環ファンを制御して前記内部空気の循環量を制御してもよい。
【００１８】
前記制御システムは、前記差圧センサーで測定された前記流入領域及び前記排出領域の間の圧力差に応じて、前記内部空気循環ファンの回転数を制御してもよい。
【００１９】
前記内部空気循環設備は、内部空気流入通路部及び内部空気排出通路部を含んでいてもよい。前記内部空気流入通路部は、前記内部空気熱交換通路の入口と連結され、前記内部空気を前記ターゲット空間の排出領域から前記内部空気熱交換通路に伝達してもよい。前記内部空気排出通路部は、前記内部空気熱交換通路の出口と連結され、前記内部空気熱交換通路から排出される前記内部空気を前記ターゲット空間の流入領域に伝達してもよい。
【００２０】
前記内部空気流入通路部は、前記内部空気熱交換通路の入口と連結された流入空間部と、前記ターゲット空間の排出領域及び前記流入空間部の間を連結する流入連結部と、を含んでいてもよい。前記内部空気排出通路部は、前記内部空気熱交換通路の出口と連結された排出空間部と、記排出空間部及び前記ターゲット空間の流入領域の間を連結する排出連結部と、を含んでいてもよい。
【００２１】
前記内部空気温度センサーは、前記排出空間部内に配置されてもよい。
【００２２】
前記内部空気循環ファンは、前記流入連結部内に配置されてもよい。
【００２３】
前記内部空気循環設備は、前記内部空気流入通路部及び前記内部空気排出通路部のうち少なくとも一つに配置され、前記制御システムによって制御されて、前記内部空気熱交換通路での前記内部空気の循環を遮断するか許容する内部空気ダンパーをさらに含んでいてもよい。
【００２４】
前記内部空気ダンパーは、前記排出空間部内で前記内部空気熱交換通路の出口と隣接して配置されてもよい。
【００２５】
前記空調システムは、前記排出空間部内で前記内部空気ダンパーと隣接して配置され、前記制御システムによって制御されて、前記内部空気ダンパーを通過した前記内部空気の温度を減少させる直接調節装置をさらに含んでいてもよい。
【００２６】
前記制御システムは、前記直接調節装置をターンオンさせて動作をさせてからターンオフさせる場合、前記内部空気ダンパーをオープンモードで既設定された時間の間動作させてもよい。
【００２７】
前記空調システムは、前記ターゲット空間の流入領域内に配置され、前記流入領域の温度を測定して、測定された温度を前記制御システムに提供するターゲット空間温度センサーをさらに含んでいてもよい。
【発明の効果】
【００２８】
このように本発明による空調システムによると、制御システムは外部空気温度センサーで測定された外部空気の温度及び内部空気温度センサーで測定された内部空気の温度を用いて、外部空気循環ファンの駆動を制御することで、外部空気の温度及び内部空気の温度と間の差異を減少させることができる。例えば、温度の低い外部空気を用いてターゲット空間に存在する内部空気の温度を低くすることで、内部空気の温度を低くするために必要とされるエネルギーを減少させることができる。また、制御システムは、差圧センサーで測定された圧力差を用いて内部空間循環ファンの駆動を制御することで、差圧センサーで測定された圧力差を減少させることができる。
【図面の簡単な説明】
【００２９】
【図１】本発明の一実施形態による空調システムを説明するための概念図である。
【図２】図１の空調システムのうち外気循環設備及び間接熱交換装置を示す概念図である。
【図３】図１の空調システムのうちターゲット空間、内気循環設備及び間接熱交換装置を示す概念図である。
【図４】図１の空調システムのうち間接熱交換装置の熱交換部の一例を示す斜視図である。
【発明を実施するための形態】
【００３０】
本発明は多様な変更を加えることができ、多様な形態を有することできる。ここでは、特定の実施形態を図面に例示して本文に詳細に説明する。
【００３１】
しかし、これは本発明を特定の開示形態に限定するものではなく、本発明の思想及び技術範囲に含まれる全ての変更、均等物乃至代替物を含むこととして理解されるべきである。第１、第２などの用語は多用な構成要素を説明するのに使用されることがあるが、前記構成要素は前記用語によって限定解釈されない。前記用語は一つの構成要素を他の構成要素から区別する目的のみとして使用される。例えば、本発明の権利範囲を外れることなく第１構成要素を第２構成要素ということができ、同様に第２構成要素も第１構成要素ということができる。
【００３２】
本出願において使用した用語は、単なる特定の実施形態を説明するために使用されたもので、本発明を限定しようとする意図ではない。単数の表現は文脈上明白に示さない限り、複数の表現を含む。本出願において、「含む」または「有する」などの用語は明細書に記載された特徴、数字、ステップ、段階、動作、構成要素、部品またはこれらを組み合わせたものが存在することを意味し、一つまたはそれ以上の他の特徴や数字、ステップ、段階、動作、構成要素、部品またはこれらを組み合わせたものの存在または付加可能性を予め排除しないこととして理解されるべきである。
【００３３】
以下、図面を参照して本発明の一実施形態をより詳細に説明する。
【００３４】
図１は本発明の一実施形態による空調システムを説明するための概念図であり、図２は図１の空調システムのうち外気循環設備及び間接熱交換装置を示す概念図であり、図３は図１の空調システムのうちターゲット空間、内気循環設備及び間接熱交換装置を示す概念図であり、図４は図１の空調システムのうち間接熱交換装置の熱交換部の一例を示す斜視図である。
【００３５】
図１〜図４を参照すると、本実施形態による空調システムはターゲット空間１０の空気調和を実行するシステムであって、間接熱交換装置１００、外部空気循環設備２００、内部空気循環設備３００、直接調節装置４００、差圧センサー５００、外部空気温度センサー６００、内部空気温度センサー７００、ターゲット空間温度センサー８００及び制御システム９００を含んでいてもよい。ここで、ターゲット空間１０は、建物内の任意の閉鎖空間で、例えば大規模のサーバを収容することができるサーバルームであってもよい。具体的に説明すると、ターゲット空間１０は、サーバが配置されたサーバ領域１２、サーバ領域１２に流入されるための空気を受容する流入領域１４及びサーバ領域１２から排出される空気を受容する排出領域１６を含んでいてもよい。
【００３６】
間接熱交換装置１００は、ターゲット空間１０ではない外部空間に存在する外部空気及びターゲット空間１０に存在する内部空気の間で熱交換させる装置であり、熱交換部１１０及び気化部（図示せず）を含んでいてもよい。ここで、外部空気は例えば、室外空間に存在する室外空気であってもよい。
【００３７】
熱交換部１１０は、外部空気が通過するための外部空気熱交換通路１１２及び内部空気が通過するための内部空気熱交換通路１１４を含んでいてもよい。この際、外部空気熱交換通路１１２及び内部空気熱交換通路１１４は、互いに熱交換が円滑に行われるように隣接して配置される。例えば、図４のように、複数の外部空気熱交換通路１１２の延長方向及び複数の内部空気熱交換通路１１４の延長方向が互いに垂直に交差されるように配置されて、複数層積層されてもよい。
【００３８】
熱交換部１１０は、外部空気熱交換通路１１２及び内部空気熱交換通路１１４の間に配置されて熱を伝達するための熱伝達媒体１１６を含んでいてもよい。熱伝達媒体１１６は、空気の間で熱交換が効率よく行われる物質、例えばステンレスから製造されてもよい。
【００３９】
気化部は、制御システム９００によって制御され、熱交換部１１０において気化が行われるようにするために、熱交換部１１０に液体を噴射させることができる。例えば、気化部は、外部空気熱交換通路１１２に接する熱伝達媒体１１６の表面に液体を噴射してもよい。このように、気化部が熱伝達媒体１１６の表面に液体を噴射し、熱伝達媒体１１６の表面の液体が気化する場合、熱伝達媒体１１６は液体の気化のために熱を奪われて温度が低くなる。また、気化部は、熱伝達媒体１１６の表面に噴射される液体の量を調節して、熱伝達媒体１１６での温度減少を制御してもよい。
【００４０】
外部空気循環設備２００は、外部空気が外部空気熱交換通路１１２を通じて循環可能であるように外部空気熱交換通路１１２と連結されてもよい。例えば、外部空気循環設備２００は、外部空気流入通路部２１０、外部空気排出通路部２２０及び外部空気循環ファン２３０を含んでいてもよい。
【００４１】
外部空気流入通路部２１０は、外部空気が外部空気熱交換通路１１２に流入されるように外部空気熱交換通路１１２の入口と連結されてもよい。
【００４２】
外部空気排出通路部２２０は、外部空気熱交換通路１１２から外部空気が排出されるように外部空気熱交換通路１１２の出口と連結されてもよい。
【００４３】
外部空気循環ファン２３０は、外部空気流入通路部２１０及び外部空気排出通路部２２０のうち少なくとも一つに配置され、制御システム９００によって制御されて外部空気熱交換通路１１２での外部空気の循環を制御することができる。例えば、外部空気循環ファン２３０は、外部空気流入通路部２１０内に配置され、外部空気熱交換通路１１２での外部空気の循環を制御することができる。本実施形態において、外部空気循環ファン２３０の回転速度を調節することにより、外部空気熱交換通路１１２での外部空気が循環される量を制御することができる。
【００４４】
内部空気循環設備３００は、内部空気が内部空気熱交換通路１１４を通じて循環可能であるようにターゲット空間１０及び内部空気熱交換通路１１４の間を連結してもよい。例えば、内部空気循環設備３００は、内部空気流入通路部３１０、内部空気排出通路部３２０、内部空気循環ファン３３０、及び内部空気ダンパー３４０を含んでいてもよい。
【００４５】
内部空気流入通路部３１０は、ターゲット空間１０内にある内部空気が内部空気熱交換通路１１４に流入されるように、ターゲット空間１０の排出領域１６及び内部空気熱交換通路１１４の入口の間を連結してもよい。例えば、内部空気流入通路部３１０は、内部空気熱交換通路１１４の入口と連結された流入空間部３１２、及びターゲット空間１０の排出領域１６と流入空間部３１２の間を連結する流入連結部３１４を含んでいてもよい。
【００４６】
内部空気排出通路部３２０は、内部空気熱交換通路１１４から内部空気が排出されてターゲット空間１０内部に再供給されるように、内部空気熱交換通路１１４の出口及びターゲット空間１０の流入領域１２の間を連結することができる。例えば、内部空気排出通路部３２０は、内部空気熱交換通路１１４の出口と連結された排出空間部３２２、及び排出空間部３２２とターゲット空間１０の流入領域１４の間を連結する排出連結部３２４を含んでいてもよい。
【００４７】
内部空気循環ファン３３０は、内部空気流入通路部３１０及び内部空気排出通路部３２０のうち少なくとも一つに配置され、制御システム９００によって制御されて内部空気熱交換通路１１４での内部空気の循環を制御することができる。例えば、内部空気循環ファン３３０は、内部空気流入通路部３１０の流入連結部３１４内に配置されて内部空気熱交換通路１１４での内部空気の循環を制御することができる。本実施形態において、内部空気循環ファン３３０の回転速度を調節することにより、内部空気熱交換通路１１４での内部空気が循環される量を制御することができる。
【００４８】
内部空気ダンパー３４０は、内部空気流入通路部３１０及び内部空気排出通路部３２０のうち少なくとも一つに配置され、制御システム９００によって制御されて、内部空気熱交換通路１１４での内部空気の循環を遮断するか許容してもよい。例えば、内部空気ダンパー３４０は、内部空気排出通路部３２０の排出空間部３２２内で内部空気熱交換通路１１４の出口と隣接して配置され、内部空気熱交換通路１１４で循環される内部空気の量、方向または速度を調節することができる。
【００４９】
直接調節装置４００は、ターゲット空間１０または内部空気循環設備３００内に配置され、制御システム９００によって制御されて、内部空気を冷却させる直接調節を実行してもよい。例えば、直接調節装置４００は、図１のように、内部空気排出通路部３２０の排出空間部３２２内で内部空気ダンパー３４０と隣接して配置される。例えば、直接調節装置４００は制御システム９００によって制御されて内部空気を冷却させることができるエアーコンディショナーを含んでいてもよい。
【００５０】
差圧センサー５００は、ターゲット空間１０に配置され、流入領域１４及び排出領域１６の間の圧力差を測定して、制御システム９００に有線または無線通信によって測定した圧力差を提供することができる。例えば、差圧センサー５００は、流入領域１４及び排出領域１６のうち少なくとも一つに配置されているか、流入領域１４及び排出領域１６に渡って配置されて、流入領域１４及び排出領域１６の間の圧力差を測定することができる。
【００５１】
外部空気温度センサー６００は、外部空気が存在する外部空間、例えば、室外空間に配置され、外部空気の温度を測定して、制御システム９００に有線または無線通信によって測定した温度を提供してもよい。例えば、外部空気温度センサー６００は、外部空気流入通路部２１０に提供される外部空気の温度をより正確に測定するために、外部空気流入通路部２１０の入口と隣接して配置されてもよい。
【００５２】
内部空気温度センサー７００は、内部空気循環設備３００内に配置され、内部空気の温度を測定して、制御システム９００に有線または無線通信によって測定した温度を提供してもよい。例えば、内部空気温度センサー７００は、内部空気排出通路部３２０の排出空間部３２２内に配置されて内部空気熱交換通路１１４から排出される内部空気の温度を測定することができる。
【００５３】
ターゲット空間温度センサー８００は、ターゲット空間１０内に配置され、ターゲット空間１０に存在する内部空気の温度を測定して、制御システム９００に有線または無線通信によって測定した温度を提供してもよい。例えば、ターゲット空間温度センサー８００は、ターゲット空間１０の流入領域１４内に配置され、内部空気排出通路部３２０から提供されて流入領域１４に存在する内部空気の温度を測定することができる。
【００５４】
制御システム９００は、差圧センサー５００から流入領域１４及び排出領域１６の間の圧力差をリアルタイムで、または図示しない記憶部に一時的に記憶された該圧力差を一定時点毎に提供される。また、制御システム９００は、外部空気温度センサー６００から外部空気流入通路部２１０に流入される外部空気の温度をリアルタイムでで、または図示しない記憶部に一時的に記憶された該外部空気の温度を一定時点毎に提供される。また、制御システム９００は、内部空気温度センサー７００から内部空気排出通路部３２０に存在する内部空気の温度をリアルタイムで、または図示しない記憶部に一時的に記憶された該内部空気の温度を一定時点毎に提供される。制御システム９００は、ターゲット空間温度センサー８００からターゲット空間１０の流入領域１４に存在する内部空気の温度をリアルタイムで、または図示しない記憶部に一時的に記憶された該内部空気の温度を一定時点毎に提供される。
【００５５】
制御システム９００は、差圧センサー５００で測定された圧力差、外部空気温度センサー６００で測定された外部空気の温度、内部空気温度センサー７００で測定された内部空気の温度、及びターゲット空間温度センサー８００で測定された流入領域１４の内部空気の温度のうち少なくとも一つを用いて、気化部、外部空気循環ファン２３０、内部空気循環ファン３３０、内部空気ダンパー３４０及び直接調節装置４００のうち少なくとも一つを制御してもよい。
【００５６】
制御システム９００は、外部空気温度センサー６００で測定された外部空気の温度及び内部空気温度センサー７００で測定された内部空気の温度を用いて、外部空気循環ファン２３０の駆動を制御することができる。例えば、制御システム９００は、外部空気の温度及び内部空気の温度間の差異に応じて外部空気循環ファン２３０の回転数を制御することができる。即ち、制御システム９００は、外部空気の温度と内部空気の温度間の差が大きくなると、外部空気循環ファン２３０の回転数を増加させるように制御し、外部空気の温度及び内部空気の温度間の差が減少すると、外部空気循環ファン２３０の回転数を減少させるように制御することができる。その結果、外部空気の温度及び内部空気の温度間の差が減少される。
【００５７】
制御システム９００は、外部空気温度センサー６００で測定された外部空気の温度及び内部空気温度センサー７００で測定された前記内部空気の温度だけではなく、流入領域１４の内部空気の温度をさらに用いて、外部空気循環ファン２３０の駆動を制御してもよい。即ち、流入領域１４の空気の温度が基準温度を超過する場合、制御システム９００は外部空気循環ファン２３０の回転数を増加させて、流入領域１４の空気の温度を低下させることができる。また、制御システム９００は、外部空気循環ファン２３０の回転数を増加させても流入領域１４の空気の温度が基準温度以下に低下しないか、急速に温度を低下させる必要があると判断する場合、気化部及び直接調節装置４００のうち少なくとも一つを制御して流入領域１４の空気の温度を低下させることもできる。一方、制御システム９００は、流入領域１４の空気の温度を用いてターゲット空間１０内での温度をモニタリングすることができ、表示装置（図示せず）を通じて表示してもよい。
【００５８】
制御システム９００は、差圧センサー５００で測定された圧力差を用いて内部空気循環ファン３３０の駆動を制御してもよい。例えば、制御システム９００は、差圧センサー５００で測定された圧力差が基準値を超過していると判断すると、内部空気循環ファン３３０を回転させて差圧センサー５００で測定された圧力差が基準値以下に低下するように制御してもよい。また、制御システム９００は、差圧センサー５００で測定された圧力差が継続して基準値を超えていると判断すると、内部空気循環ファン３３０の回転数を増加させて、差圧センサー５００で測定された圧力差が大きくならないように抑制してもよい。一方、制御システム９００は、差圧センサー５００で測定された圧力差を用いてサーバ領域１２に配置されたサーバの規模または駆動状態をモニタリングしてもよく、表示装置（図示せず）を通じて表示してもよい。
【００５９】
一方、制御システム９００は、直接調節装置４００であるエアーコンディショナーをターンオンさせ、排出空間部３２２内に存在する内部空気の温度を低下させてもよい。以後、制御システム９００が直接調節装置４００をターンオフさせる場合、内部空気ダンパー３４０をオープンモードで既設定された時間の間、例えば、約４５秒動作させて直接調節装置４００に発生した水滴などを除去してもよい。
【００６０】
このように本実施形態によると、制御システム９００は、外部空気温度センサー６００で測定された外部空気の温度及び内部空気温度センサー７００で測定された内部空気の温度を用いて、外部空気循環ファン２３０の駆動を制御することで、外部空気の温度及び内部空気の温度と間の差異を減少させてもよい。例えば、外部空気が内部空気より低い温度を有する場合、制御システム９００は外部空気及び内部空気の間接熱交換を用いてターゲット空間に存在する内部空気の温度を低くすることで、内部空気の温度を低くするために必要なエネルギーを減少させることができる。
【００６１】
制御システム９００は、差圧センサー５００で測定された圧力差を用いて内部空気循環ファン３３０の駆動を制御することで、差圧センサー５００で測定された圧力差を減少させることができる。
【００６２】
以上、本発明の実施形態によって詳細に説明したが、本発明はこれに限定されず、本発明が属する技術分野において通常の知識を有する者であれば、本発明の思想と精神を離れることなく、本発明を修正または変更できる。
【符号の説明】
【００６３】
１０：ターゲット空間
１２：サーバ領域
１４：流入領域
１６：排出領域
１００：間接熱交換装置
１１０：熱交換部
１１２：外部空気熱交換通路
１１４：内部空気熱交換通路
１１６：熱伝達媒体
２００：外部空気循環設備
２１０：外部空気流入通路部
２２０：外部空気排出通路部
２３０：外部空気循環ファン
３００：内部空気循環設備
３１０：内部空気流入通路部
３１２：流入空間部
３１４：流入連結部
３２０：内部空気排出通路部
３２２：排出空間部
３２４：排出連結部
３３０：内部空気循環ファン
３４０：内部空気ダンパー
４００：直接調節装置
５００：差圧センサー
６００：外部空気温度センサー
７００：内部空気温度センサー
８００：ターゲット空間温度センサー
９００：制御システム
【図１】
2019219163.tif 000003
【図２】
2019219163.tif 000004
【図３】
2019219163.tif 000005
【図４】
2019219163.tif 000006